(57)【特許請求の範囲】
【請求項１】
第１の太陽電池パネル、及び当該パネルの周縁部に設けられた第１のフレームを有し、屋根の軒側に設置される第１の太陽電池モジュールと、
第２の太陽電池パネル、及び当該パネルの周縁部に設けられた第２のフレームを有し、前記第１の太陽電池モジュールの棟側に隣接配置される第２の太陽電池モジュールと、
を備えた太陽光発電装置であって、
前記各フレームは、前記各太陽電池パネルの周縁部を収納する内溝と、前記各太陽電池パネルと反対側に設けられる外溝と、前記各太陽電池モジュールの内側に張り出した内鍔とをそれぞれ有し、
前記第１のフレームの前記内鍔を押える下金具と、
前記下金具上に配置され、前記第１のフレームの前記外溝に挿し込まれる第１挿嵌部、及び前記第２のフレームの前記外溝に挿し込まれる第２挿嵌部を有する上金具と、
前記屋根の野地板に固定されるベース金具、又は前記屋根上に配置される長尺状の架台フレームと、
を備え、
前記下金具及び前記上金具は、前記ベース金具又は前記架台フレームに固定され、
前記下金具は、前記ベース金具又は前記架台フレームに引っ掛けられる脚部を有し、
前記ベース金具又は前記架台フレームは、前記脚部が挿し込まれる被挿入部を有する、太陽光発電装置。
【請求項２】
前記ベース金具又は前記架台フレームに前記下金具及び前記上金具を固定するためのボルトを備え、
前記下金具及び前記上金具は、前記ボルトが挿通されるボルト孔をそれぞれ有し、
前記各ボルト孔は、前記第２のフレームの前記内鍔を支持する位置よりも棟側に形成されている、請求項１に記載の太陽光発電装置。
【請求項３】
前記上金具の前記各挿嵌部には、前記外溝の内壁に接触する凸部がそれぞれ形成されており、
前記外溝の内壁と前記凸部との接触面積は、前記第２挿嵌部よりも前記第１挿嵌部で大きい、請求項１又は２に記載の太陽光発電装置。
【請求項４】
前記下金具は、前記第１のフレームが載せられる台座部を有し、
前記台座部の上面の高さは、前記第２のフレームが載せられる前記上金具の上面の高さと略同一である、請求項１〜３のいずれか１項に記載の太陽光発電装置。
【請求項５】
前記第１のフレームの底板は、前記下金具の前記台座部と前記上金具の前記第１挿嵌部との間に配置される、請求項４に記載の太陽光発電装置。
【請求項６】
前記ボルト孔は、前記下金具の横方向一端側に偏って形成され、
前記架台フレームは、当該フレームの幅方向一端側に偏って形成された、前記ボルトが挿通されるフレーム側ボルト孔を有する、請求項２に記載の太陽光発電装置。
【請求項７】
前記下金具の上面には、当該金具の縦方向に沿って略直線状に延びる刻印が横方向一端側に偏って形成され、
前記架台フレームの上面には、当該フレームの長手方向に沿って略直線状に延びるフレーム側刻印が幅方向一端側に偏って形成され、
前記刻印が前記フレーム側刻印上に重なった状態で、前記下金具が前記架台フレーム上に配置されている、請求項１〜６のいずれか１項に記載の太陽光発電装置。
【請求項８】
前記上金具は、前記第２のフレームの前記内鍔の先端に面する位置に設けられる立壁部を有する、請求項１〜７のいずれか１項に記載の太陽光発電装置。
【請求項９】
請求項１〜８のいずれか１項に記載の太陽光発電装置の施工方法であって、
固定対象物に前記下金具を取り付ける工程と、
前記下金具上に前記第１の太陽電池モジュールを配置して、前記下金具により当該モジュールの前記内鍔を押える工程と、
前記下金具上に前記上金具を配置して当該上金具の前記第１挿嵌部を前記第１の太陽電池モジュールの前記外溝に挿し込み、前記固定対象物に当該各金具を固定する工程と、
前記上金具上に前記第２の太陽電池モジュールを配置して、当該上金具の前記第２挿嵌部を当該モジュールの前記外溝に挿し込む工程と、
を備えた、太陽光発電装置の施工方法。
【発明の詳細な説明】
【技術分野】
【０００１】
本開示は、太陽光発電装置及び太陽光発電装置の施工方法に関する。
【背景技術】
【０００２】
従来、屋根に太陽電池モジュールを固定して太陽光発電装置を構築する際に用いられる種々の固定構造が知られている。例えば、特許文献１には、モジュールフレームの外側に張り出した鍔部を断面略Ｕ字形状の押え金具で押え付けて、屋根に設置された架台フレーム上に太陽電池モジュールを固定する構造が開示されている。
【先行技術文献】
【特許文献】
【０００３】
【特許文献１】特開２０１４−１９４１３３号公報
【発明の概要】
【発明が解決しようとする課題】
【０００４】
太陽光発電装置において、隣接配置される太陽電池モジュール間の隙間をできるだけ小さくして省スペース化を図ることは重要な課題である。また、太陽光発電装置は、屋根上での固定作業が簡単で、施工性に優れることが望ましい。太陽電池モジュール間に大きな隙間が形成されると、隙間を覆うカバーの設置が必要な場合もあり、施工工数の削減、材料コストの削減の観点からも当該隙間を小さくすることは重要である。
【課題を解決するための手段】
【０００５】
本開示の一態様である太陽光発電装置は、第１の太陽電池パネル、及び当該パネルの周縁部に設けられた第１のフレームを有し、屋根の軒側に設置される第１の太陽電池モジュールと、第２の太陽電池パネル、及び当該パネルの周縁部に設けられた第２のフレームを有し、第１の太陽電池モジュールの棟側に隣接配置される第２の太陽電池モジュールとを備えた太陽光発電装置であって、各フレームは、各太陽電池パネルの周縁部を収納する内溝と、各太陽電池パネルと反対側に設けられる外溝と、各太陽電池モジュールの内側に張り出した内鍔とをそれぞれ有し、第１のフレームの内鍔を押える下金具と、下金具上に配置され、第１のフレームの外溝に挿し込まれる第１挿嵌部、及び第２のフレームの外溝に挿し込まれる第２挿嵌部を有する上金具とを備える。
【発明の効果】
【０００６】
本開示の一態様である太陽光発電装置は、施工性に優れ、且つ太陽電池モジュール間の隙間を小さくでき省スペース化を実現できる。
【図面の簡単な説明】
【０００７】
【図１】実施形態の一例である太陽光発電装置を示す図である。
【図２】実施形態の一例であるベースプレートを野地板上に設置した様子を示す図である。
【図３】実施形態の一例である太陽電池モジュールの断面図である。
【図４】図１中のＡＡ線断面図である。
【図５】実施形態の一例であるベース金具の斜視図である。
【図６】図５中のＢＢ線断面図である。
【図７】実施形態の一例である下金具の斜視図である。
【図８】図７中のＣＣ線断面図である。
【図９】実施形態の一例である上金具の斜視図である。
【図１０】図９中のＤＤ線断面図である。
【図１１】実施形態の一例である太陽光発電装置の施工方法を説明するための図である。
【図１２】実施形態の一例である太陽光発電装置の施工方法を説明するための図である。
【図１３】実施形態の一例である太陽光発電装置の施工方法を説明するための図である。
【図１４】ベース金具の変形例を示す斜視図である。
【図１５】図１４中のＥＥ線断面図である。
【図１６】実施形態の他の一例である太陽光発電装置を示す断面図である。
【図１７】実施形態の他の一例である架台フレームの斜視図である。
【図１８】図１７中のＦＦ線断面図である。
【図１９】実施形態の他の一例である下金具の斜視図である。
【図２０】図１９中のＧＧ線断面図である。
【図２１】実施形態の他の一例である上金具の斜視図である。
【図２２】図２１中のＨＨ線断面図である。
【図２３】実施形態の他の一例である太陽光発電装置の軒側端部及びその近傍を示す断面図である。
【図２４】実施形態の他の一例である軒側端部用下金具の斜視図である。
【図２５】図２４中のＩＩ線断面図である。
【図２６】架台フレーム及び下金具の変形例を示す平面図である。
【図２７】架台フレーム及び下金具の他の変形例を示す平面図である。
【発明を実施するための形態】
【０００８】
以下、図面を参照しながら、実施形態の一例について詳細に説明する。
実施形態において参照する図面は、模式的に記載されたものであり、図面に描画された構成要素の寸法比率などは、現物と異なる場合がある。具体的な寸法比率等は、以下の説明を参酌して判断されるべきである。本明細書において、「略＊＊」との記載は、略同一を例に挙げて説明すると、完全に同一はもとより、実質的に同一と認められる場合を含む意図である。
【０００９】
本明細書では、ベース金具、下金具、及び上金具が屋根に固定された状態で、屋根の桁方向（屋根の軒棟方向に直交する方向）に沿う各金具の方向を「横方向」、屋根の野地板に垂直な方向に沿う各金具の方向を「上下方向」という。また、屋根の軒棟方向に沿う各金具の方向を縦方向という場合がある。実施形態の説明で用いる図面には、屋根１００の軒棟方向を矢印α、横方向を矢印β、上下方向を矢印γで示す。
【００１０】
図１〜図１３を参照しながら、実施形態の一例である太陽光発電装置１０について以下詳細に説明する。図１は、屋根１００に設置された太陽光発電装置１０の全体を示す図である。図２は、太陽光発電装置１０を構成するベースプレート３０を野地板１０１上に設置した様子を示す。
【００１１】
図１に例示するように、太陽光発電装置１０は、複数の太陽電池モジュール１１を屋根１００に並べて設置することで構成されている。詳しくは後述するが、太陽光発電装置１０は、太陽電池モジュール１１を屋根１００に固定するための固定部材として、ベース金具３２、下金具５０、及び上金具６０を備える（図４等参照）。各金具は、屋根１００の軒側に配置される太陽電池モジュール１１ａ（第１の太陽電池モジュール）と、太陽電池モジュール１１ａの棟側に隣接配置される太陽電池モジュール１１ｂ（第２の太陽電池モジュール）とに跨って配置される。太陽光発電装置１０の軒側端部、棟側端部には、例えば別の金具（図示せず）が取り付けられる。
【００１２】
ここで、太陽電池モジュール１１ａ，１１ｂ（第１、第２の太陽電池モジュール）の用語は、２つの太陽電池モジュールについての相対的な位置関係を示すものである。即ち、太陽光発電装置１０に設けられる複数の太陽電池モジュール１１のうち、軒棟方向に隣接する任意の２枚の太陽電池モジュール１１に対して、軒側に配置される方が太陽電池モジュール１１ａとなり、棟側に配置される方が太陽電池モジュール１１ｂとなる。
【００１３】
太陽電池モジュール１１は、複数の太陽電池セルがガラス板等の保護部材で挟持された太陽電池パネル１２と、当該パネルの周縁部に設けられたフレーム１３とを有する。図１に例示する太陽電池モジュール１１及び太陽電池パネル１２は、平面視で長方形である。但し、太陽電池モジュール１１は、長方形以外の平面視形状を有していてもよく、正方形等の他の形状であってもよい。平面視とは、太陽電池パネル１２の受光面（上面）に対して上下方向から見た場合である。本実施形態では、各太陽電池モジュール１１の短辺が軒棟方向に略平行であり、隣り合う太陽電池モジュール１１の短辺同士が接触した状態で、各太陽電池モジュール１１が屋根１００に設置されている。屋根材１０２は、太陽光発電装置１０の周囲に配置され、太陽光発電装置１０の下には配置されていない。
【００１４】
フレーム１３は、太陽電池パネル１２の周縁部を保護し、下金具５０及び上金具６０を用いてベース金具３２に固定される。フレーム１３は、例えばアルミニウム等の金属材料を押出成形して形成される長尺状の部材である。フレーム１３は、太陽電池パネル１２の各長辺及び各短辺に沿って取り付けられる複数の部材からなり、コーナーピース等を用いて互いに接続され太陽電池パネル１２の四方を囲む。後述する外溝２４及び内鍔２６は、太陽電池パネル１２の長辺に沿って取り付けられるフレーム１３に設けられる。
【００１５】
図２に例示するように、太陽電池モジュール１１の下には複数のベースプレート３０が設置され、各ベースプレート３０上にベース金具３２が設けられる。ベースプレート３０を用いずベース金具３２を野地板１０１に固定してもよいが、ベースプレート３０を用いることで、例えばベース金具３２の位置合わせが容易になり施工性が向上する。ベースプレート３０を用いる場合、ベースプレート３０上の所定位置に粘着テープ等を用いてベース金具３２を予め固定（仮止め）し、当該ベースプレートを屋根１００に運び上げて野地板１０１上に設置する。ベースプレート３０の設置は、後述するように簡便でありながら高精度で行うことができる。
【００１６】
ベースプレート３０は、例えば金属製の板状部材であって、野地板１０１との間に屋根材１０２を介在させることなく野地板１０１に直接固定される。なお、ベースプレート３０と野地板１０１との間には防水シート等が設けられていてもよい。図２に示す例では、１枚のベースプレート３０上に保持部３１及びベース金具３２が１つずつ設けられている。ベースプレート３０は、太陽電池モジュール１１の半分程度の大きさを有し、大凡２枚のベースプレート３０上に１枚の太陽電池モジュール１１（一点鎖線で示す）が設置される。太陽電池モジュール１１は、軒側端部、棟側端部が２箇所ずつ、合計４箇所がベース金具３２に固定される。
【００１７】
ベースプレート３０は、軒側の横方向一方側（以下、「左側」とする）から野地板１０１上に配置される。左側に配置されるベースプレート３０ａ上には、横方向他方側（以下、「右側」とする）に隣接配置されるベースプレート３０ｃの一部が重ねられる。また、ベースプレート３０ａ上には、棟側に隣接配置されるベースプレート３０ｂの一部が重ねられる。このようにして、ベースプレート３０は軒側の左から棟側の右に向かって順に設置される。ベースプレート３０ａ，３０ｂ，３０ｃは、太陽電池モジュール１１の場合と同様に相対的な位置関係を示すものであり、いずれも同じプレートを使用することができる。
【００１８】
保持部３１は、各ベースプレート３０の右側に設けられる。ベースプレート３０ａ上に設けられた保持部３１は、ベースプレート３０ａとの間にベースプレート３０ｃを挿し込み可能な隙間を有する。ベースプレート３０ａ上に重ねられるベースプレート３０ｃの端部は、当該隙間に挿し込まれ保持部３１によって上方に浮き上がらないように押えられる。
【００１９】
ベース金具３２には、保持部３１と同じ機能を有する爪部４４が設けられている。ベース金具３２は各ベースプレート３０の棟側に設けられ、爪部４４はベース金具３２の棟側端部に設けられる。ベースプレート３０ａ上に設けられたベース金具３２は、ベースプレート３０ａとの間にベースプレート３０ｂを挿し込み可能な隙間を有する。ベースプレート３０ａ上に重ねられるベースプレート３０ｂの端部は、当該隙間に挿し込まれ爪部４４によって上方に浮き上がらないように押えられる。
【００２０】
ベース金具３２は、下金具５０及び上金具６０を固定するための金具であって、野地板１０１に固定される。ベース金具３２は、例えば木ネジ４７（図４参照）を用いて野地板１０１に固定される。木ネジ４７は、ベース金具３２のネジ孔４２，４３（図６参照）に取り付けられ、ベースプレート３０を貫通して野地板１０１に固定される。
【００２１】
図３は、太陽電池モジュール１１の断面図（フレーム１３の幅方向断面）である。
図３に示すように、太陽電池モジュール１１のフレーム１３は、本体部２０と、太陽電池パネル１２の周縁部を収納する内溝２２と、太陽電池パネル１２と軒棟方向の反対側に設けられる外溝２４と、太陽電池モジュール１１の軒棟方向の内側に張り出した内鍔２６とを有する。本体部２０の形状は特に限定されないが、剛性の向上、軽量化、材料コスト削減等の観点から、好ましくは中空の角柱形状を有する。
【００２２】
フレーム１３は、本体部２０の上面に立設した鉤部２１を有する。鉤部２１は、本体部２０の外側から上方に真っ直ぐ延び、軒棟方向の内側に折れ曲がって断面略Ｌ字状に形成されている。本体部２０の上面と鉤部２１との間には、太陽電池パネル１２を挿入可能な隙間である内溝２２が形成されている。内溝２２は、フレーム１３の長手方向に沿って形成される。内溝２２には太陽電池パネル１２の周縁部が挿入され、太陽電池パネル１２と内溝２２の隙間には、例えば接着剤が充填される。
【００２３】
フレーム１３は、本体部２０の下面に立設した鉤部２３を有する。鉤部２３は、本体部２０の軒棟方向の内側から下方に真っ直ぐ延び、軒棟方向の外側に折れ曲がって断面略Ｌ字状に形成されている。本体部２０の下面と鉤部２３との間には、上金具６０の挿嵌部を挿し込み可能な隙間である外溝２４が形成されている。外溝２４は、上金具６０を取り付ける部分のみに形成されてもよいが、好ましくはフレーム１３の長手方向に沿って形成される。外溝２４は、挿嵌部を挿し込み可能な寸法（奥行深さＤ２４、幅Ｗ２４（上下方向長さ））を有する。底板２５は、鉤部２３の一部であって、フレーム１３の底部を構成する部分である。
【００２４】
内鍔２６は、フレーム１３の下部から太陽電池モジュール１１の軒棟方向の内側に向かって延出し、太陽電池モジュール１１の内側に向いたフレーム１３の内側壁に対して略垂直に設けられることが好ましい。本実施形態では、鉤部２３のうちフレーム１３の内側壁を構成する部分（上下方向に沿った部分）から内鍔２６が延出し、底板２５と共にフレーム１３の底部を構成する。底板２５の下面と内鍔２６の下面は、連続した段差のない平坦な面（フレーム１３の下面）を形成している。内鍔２６は、下金具５０を取り付ける部分のみに形成されてもよいが、好ましくはフレーム１３の長手方向に沿って連続的に形成される。
【００２５】
図４は、図１中のＡＡ線断面図（各金具が取り付けられた部分の断面図）である。
図４に示すように、太陽光発電装置１０は、下金具５０と、下金具５０上に配置される上金具６０とを備える。下金具５０及び上金具６０は、軒棟方向に隣接配置される太陽電池モジュール１１ａ，１１ｂに跨って取り付けられる。本実施形態では、野地板１０１にネジ止めされたベース金具３２に下金具５０及び上金具６０が固定されている。太陽光発電装置１０は、ベース金具３２に下金具５０及び上金具６０を固定するためのボルト４５を備え、各金具はボルト４５及びナット４６を用いて連結されている。
【００２６】
ベース金具３２は、太陽電池モジュール１１ａ，１１ｂが載せられる台座部３３を有する。各太陽電池モジュールと台座部３３の間には下金具５０及び上金具６０が介在し、下金具５０及び上金具６０はボルト４５を用いて台座部３３に固定される。台座部３３の高さは、例えば太陽電池モジュール１１の受光面（上面）の高さが太陽光発電装置１０の周囲に配置される屋根材１０２の上面の高さと同程度になるように、太陽電池モジュール１１の厚み、屋根材１０２の厚み等を考慮して設定される。台座部３３には、ボルト４５を保持するガイドレール３９が設けられている。ガイドレール３９は、ボルト４５の軸部が台座部３３上に上下方向に起立した状態でボルト４５を保持する。
【００２７】
ベース金具３２は、当該金具を野地板１０１に固定するための脚部４０，４１を有する。脚部４０は、台座部３３の軒側端部から軒側に延出して、太陽電池モジュール１１ａの下で木ネジ４７によって野地板１０１に固定される。脚部４１は、台座部３３の棟側端部から棟側に延出して、太陽電池モジュール１１ｂの下で木ネジ４７によって野地板１０１に固定される。ベース金具３２は、爪部４４を有し、棟側に配置されるベースプレート３０ｂの支持部材としても機能する。爪部４４は、ベースプレート３０ａとの間にベースプレート３０ｂを挿し込み可能な隙間をあけて脚部４１の棟側端部から棟側に延出している。爪部４４の棟側端部は、ベースプレート３０ｂを挿し込み易いように上方に曲げられている。
【００２８】
下金具５０及び上金具６０は、太陽電池モジュール１１のフレーム１３に取り付けられる。下金具５０上には太陽電池モジュール１１ａを構成する太陽電池パネル１２ａ（第１の太陽電池パネル）の周縁部に設けられたフレーム１３ａ（第１のフレーム）が載せられる。下金具５０は、フレーム１３ａの内鍔２６ａを押える金具であって、内鍔２６ａを利用して太陽電池モジュール１１ａの棟側端部をベース金具３２に固定する。上金具６０は下金具５０上に配置され、上金具６０上には太陽電池モジュール１１ｂを構成する太陽電池パネル１２ｂ（第２の太陽電池パネル）の周縁部に設けられたフレーム１３ｂ（第２のフレーム）が載せられる。上金具６０は、フレーム１３ａ，１３ｂの両方に取り付けられ、太陽電池モジュール１１ａの棟側端部及び太陽電池モジュール１１ｂの軒側端部をベース金具３２に固定する。上金具６０は、フレーム１３ａの外溝２４ａに挿し込まれる第１挿嵌部６３、及びフレーム１３ｂの外溝２４ｂに挿し込まれる第２挿嵌部６４を有する。
【００２９】
下金具５０及び上金具６０は、ボルト４５が挿通されるボルト孔５２，６２をそれぞれ有する。ボルト孔５２，６２は、各金具の棟側部分であって、フレーム１３ｂの内鍔２６ｂを支持する位置よりも棟側に形成される。即ち、フレーム１３ｂの内鍔２６ｂと重ならず、上金具６０上に取り付けられるナット４６が内鍔２６ｂと干渉しない位置にボルト孔５２，６２が形成される。なお、ボルト孔５２，６２は互いに重なり合う位置に形成される。
【００３０】
下金具５０は、ボルト４５及びナット４６だけでベース金具３２に固定されてもよいが、ベース金具３２との結束力を高めるために、好ましくはベース金具３２に形成された貫通孔３６に挿し込まれる脚部５６を有する。脚部５６は、ベース金具３２に引っ掛けられる部分であって、下金具５０の軒側に設けられる。脚部５６を設けることにより、例えば太陽電池モジュール１１に作用する負圧に対する耐久性が向上する。下金具５０は、軒側部分が脚部５６及びベース金具３２の引っ掛かりによって固定され、棟側部分がボルト４５及びナット４６によりベース金具３２に固定される。上金具６０は、ボルト４５及びナット４６でベース金具３２に固定される。但し、上金具６０の軒側端部にはフレーム１３ａの外溝２４ａに挿し込まれる第１挿嵌部６３が設けられており、フレーム１３ａは下金具５０によって内鍔２６ａが押えられているから、上金具６０とベース金具３２の結束は十分強固である。
【００３１】
以下、図４に加えて図５〜図１０を参照しながら、ベース金具３２、下金具５０、上金具６０の構成について更に詳説する。
【００３２】
図５及び図６は、ベース金具３２を示す図である。
ベース金具３２は、上記のように下金具５０及び上金具６０が固定される台座部３３の軒側及び棟側に、野地板１０１に固定される脚部４０，４１がそれぞれ形成された構造を有する。軒棟方向の両側に野地板１０１との固定部を設けることで、野地板１０１に対してベース金具３２を固定することができる。脚部４０、４１は、野地板１０１に沿うように平坦な板状に形成されており、木ネジ４７が取り付けられるネジ孔４２，４３をそれぞれ有する。ネジ孔４２、４３は、脚部４０の横方向中央よりも横方向両端寄りに１つずつ形成されている。また、脚部４０，４１は台座部３３の下にも延びている。これにより、ベース金具３２の耐荷重性が向上する。ベース金具３２は、軒棟方向よりも横方向に長く延びた形状を有する。これによって、爪部４４とベースプレート３０ｂとが重なる領域が増え、ベース金具３２によってベースプレート３０ｂを安定に支持することができる。
【００３３】
台座部３３は、脚部４０，４１に対して略垂直に設けられる立壁部３４と、野地板１０１（脚部４０，４１）に対して略平行に設けられる天板部３５とで構成される。下金具５０及び上金具６０は天板部３５に固定される。天板部３５には、下金具５０の脚部５６が挿し込まれる貫通孔３６（被挿入部）と、ボルト４５を取り付けるためのガイドレール３９とが設けられている。貫通孔３６は、天板部３５の横方向中央部において平面視矩形形状に形成されている。ガイドレール３９は、天板部３５の横方向全長に亘って形成されている。貫通孔３６は天板部３５の軒側に位置し、ガイドレール３９は天板部３５の棟側に位置する。
【００３４】
ガイドレール３９は、ボルト４５の頭部を横方向にスライド可能に保持する。ガイドレール３９は、天板部３５の横方向に沿って形成された開口部３７と、開口部３７に沿って開口部３７の下に設けられた底板３８とで構成される。開口部３７は、ボルト４５の軸部の直径よりも広くボルト４５の頭部の直径よりも狭い幅で形成される。底板３８は、開口部３７との間にボルト４５の頭部を挿入可能な間隔を設け、天板部３５と棟側の立壁部３４とを接続して断面略Ｌ字状に形成される。ガイドレール３９に挿入されたボルト４５は、軸部が開口部３７から突き出して天板部３５上に起立し、頭部は開口部３７の縁部に引っ掛かってガイドレール３９内に保持される。ボルト４５・ナット４６の締結部分の耐久性を向上させるため、天板部３５のうちボルト４５の頭部を押える開口部３７の縁部の厚みは、天板部３５の他の部分の厚みよりも大きく形成されている。
【００３５】
なお、ベース金具３２の形状は、図５及び図６で図示する形状に限定されない。例えば、下金具５０の脚部５６の挿し込み部は、溝状に形成された挿し込み部であってもよい（後述の図１４，１５参照）。貫通孔３６の形状は、平面視矩形形状に限定されず、例えば楕円形状であってもよい。また、ガイドレール３９の代わりに、ボルト孔を天板部３５に形成し当該ボルト孔にボルト４５を取り付けてもよい。
【００３６】
図７及び図８は、下金具５０を示す図である。
下金具５０は、平坦な板状に形成されたベース部５１と、フレーム１３ａが載せられる台座部５３とを有する。ベース部５１の下面はベース金具３２の天板部３５と接触しており、ベース部５１の上面には上金具６０が配置される（図４参照）。台座部５３は、ベース部５１よりも高く形成されており、ベース金具３２に接触しない。台座部５３は、その上に載せられるフレーム１３ａと、上金具６０上に載せられるフレーム１３ｂの高さが略同一となるように形成されることが好適である。例えば、台座部５３の上面の高さがベース部５１上に配置される上金具６０のベース部６１の上面の高さと略同一となるように台座部５３が形成される。台座部５３は、下金具５０の軒側において横方向の全長に亘って形成される。
【００３７】
下金具５０は、横方向よりも軒棟方向に長く延びており、フレーム１３ｂの内鍔２６ｂを超えて棟側に延びる（図４参照）。ベース部５１には、横方向中央部にボルト孔５２が形成されている。ボルト孔５２は、軒棟方向に長く形成された長孔であって、長孔の軒側端部が内鍔２６ｂと重ならない位置に形成される。ボルト孔５２を長孔とすることで、ボルト４５の軸部をボルト孔５２に挿し込んだ状態で下金具５０を棟側に移動させることが可能となる（後述の工程（２））。
【００３８】
下金具５０は、フレーム１３ａの内鍔２６ａを上から押え付ける押え部５４を有する。押え部５４は、台座部５３との間に内鍔２６ａを挿し込み可能な隙間をあけて台座部５３上に設けられる。押え部５４は、台座部５３との間に当該隙間が形成されるように、下金具５０の軒側端部を略Ｕ字状に折り返して、台座部５３と略平行な板状に形成される。フレーム１３ａの内鍔２６ａは、台座部５３と押え部５４の隙間に挿し込まれる（図４参照）。
【００３９】
押え部５４には、内鍔２６ａの上面に接触する凸部５５が形成されている。即ち、凸部５５は押え部５４の下面に形成された突起である。凸部５５は、押え部５４の横方向中央部等に形成されてもよいが、好ましくは押え部５４の横方向両側にそれぞれ形成される。押え部５４を上面側からプレスすることにより、下方に向かって突出した凸部５５を形成することができる。押え部５４は、凸部５５が内鍔２６ａの上面に接触し、内鍔２６ａを台座部５３に押し付ける。凸部５５の先端と台座部５３との間隔が内鍔２６ａの厚みと同程度となるように、台座部５３と押え部５４の間隔を設定することが好ましい。好適な間隔の一例は、内鍔２６ａの厚みの０．９５〜１．０５倍である。凸部５５と台座部５３との間隔は内鍔２６ａの厚みよりも僅かに狭くすることが特に好ましく、特に好適な間隔の一例は、内鍔２６ａの厚みの０．９５〜１．００倍未満である。
【００４０】
下金具５０では、押え部５４の横方向両側に脚部５６が設けられている。２つの脚部５６は、例えば同一形状、同一寸法を有する。脚部５６は、台座部５３の軒側端部から軒側且つ下方に向かって延出し、ベース部５１の下面よりも下側に延び、途中で折れ曲がってベース部５１と略平行に延びる。脚部５６のベース部５１と略平行に延びる部分は、ベース部５１よりも下方に位置し、ベース金具３２の貫通孔３６に挿し込まれた状態で天板部３５の裏側（下面）に略接触することが好ましい。但し、脚部５６の上面と天板部３５の下面との間に小さな隙間が存在していてもよく、例えば太陽電池モジュール１１ａ，１１ｂを持ち上げる力（負圧）が作用したときに脚部５６が貫通孔３６の縁部に引っ掛かればよい。即ち、負圧発生時に脚部５６の上面が天板部３５の下面に接触してもよい。
【００４１】
下金具５０は、棟側端部を下方に曲げて形成された把手部５７を有する。太陽光発電装置１０の施工時において、台座部５３と押え部５４の間にフレーム１３ａの内鍔２６ａを挿し込むときには下金具５０を棟側に移動させるが、このとき把手部５７が使用される。把手部５７を用いることで下金具５０を強く引っ張ることができるため、内鍔２６ａの挿し込みが容易になり施工性が向上する。把手部５７は、下金具５０の棟側端部を上方に曲げて形成されてもよいが、この場合は下金具５０の軒側端部に上方向の力が作用し易い。このため、貫通孔３６に挿し込まれた脚部５６が天板部３５の裏側に強く接触し、把手部５７を引っ張るのに大きな力が必要になる場合がある。
【００４２】
なお、下金具５０の形状は、図７及び図８で図示する形状に限定されない。例えば、下金具５０の横方向中央部に脚部５６を１つ形成し、脚部５６の横方向両側に押え部５４を２つ形成してもよい（後述の図１９等参照）。下金具５０の横方向一端側に押え部５４を形成し、横方向他端側に脚部５６を形成してもよい。
【００４３】
図９及び図１０は、上金具６０を示す図である。
上金具６０は、平坦な板状に形成されたベース部６１と、フレーム１３ａ，１３ｂの外溝２４ａ，２４ｂにそれぞれ挿し込まれる２つの挿嵌部（第１挿嵌部６３、第２挿嵌部６４）と、ベース部６１と各挿嵌部をつなぐ連結部６８，６９とを有する。連結部６８，６９は、ベース部６１及び各挿嵌部に対して略垂直に設けられる。ベース部６１は下金具５０のベース部５１上に配置され、ベース部６１上にはフレーム１３ｂが載せられる（図４参照）。上金具６０が下金具５０上に配置された状態で、ベース部６１の上面の高さは台座部５３の上面の高さと略同一である。
【００４４】
上金具６０は、フレーム１３ｂの内鍔２６ｂを超えて棟側に延びる（図４参照）。ボルト孔６２は、ボルト孔５２と同様に軒棟方向に長く形成された長孔であって、長孔の軒側端部が内鍔２６ｂと重ならない位置に形成される。ボルト孔６２を当該長孔とすることで、ボルト４５の軸部をボルト孔６２に挿し込んだ状態で上金具６０を軒側に押して外溝２４ａに第１挿嵌部６３を挿し込むことができる。
【００４５】
第１挿嵌部６３は、フレーム１３ａの外溝２４ａに挿し込まれる部分であって、ベース部６１の軒側端部から軒側に延出している。第１挿嵌部６３は、軒棟方向よりも横方向に長い板状に形成され、ベース部６１と略平行に配置される。第１挿嵌部６３の軒棟方向長さは、好ましくは奥行深さＤ２４以下であり、より好ましくは奥行深さＤ２４以下且つ奥行深さＤ２４の５０％以上である。第１挿嵌部６３は、連結部６８がフレーム１３ａと略接触するまで外溝２４ａに挿入されることが好適である。フレーム１３ａの底板２５ａは、台座部５３と第１挿嵌部６３の隙間に挿し込まれる（図４参照）。
【００４６】
第２挿嵌部６４は、フレーム１３ｂの外溝２４ｂに挿し込まれる部分であって、ベース部６１の軒側端部から第１挿嵌部６３と反対側、即ち棟側に延びている。第２挿嵌部６４は、軒棟方向よりも横方向に長い板状に形成され、ベース部６１上においてベース部６１と略平行に配置される。第２挿嵌部６４の軒棟方向長さは、第１挿嵌部６３と同様に好ましくは奥行深さＤ２４以下であり、より好ましくは奥行深さＤ２４以下且つ奥行深さＤ２４の５０％以上である。第２挿嵌部６４は、連結部６９がフレーム１３ｂと略接触するまで外溝２４ｂに挿入されることが好適である。
【００４７】
第２挿嵌部６４は、ベース部６１との間にフレーム１３ｂの底板２５ｂを挿し込み可能な隙間をあけてベース部６１上に設けられる。第２挿嵌部６４は、ベース部６１との間に当該隙間が形成されるように上金具６０の軒側端部を折り返して形成される。
【００４８】
第１挿嵌部６３及び第２挿嵌部６４には、外溝２４ａ，２４ｂの内壁に接触する凸部６５，６６がそれぞれ形成されている。凸部６５，６６は、各挿嵌部の上面に形成されてもよいが、好ましくは下面に形成される。外溝２４ａ，２４ｂの内壁と各凸部との接触面積が第２挿嵌部６４よりも第１挿嵌部６３で大きくなるように、各挿嵌部に凸部がそれぞれ形成される。第１挿嵌部６３及び第２挿嵌部６４は、いずれも横方向両側に１つずつ凸部６５，６６を有する。第１挿嵌部６３は横方向中央部に凸部６５をさらに有し、第１挿嵌部６３には合計３つの凸部６５が形成されている。太陽電池モジュール１１ｂは第２挿嵌部６４が外溝２４ｂに挿し込まれた後に、横方向にスライドさせて位置合わせを行う場合があるから、下金具５０とフレーム１３ａの結束力より、上金具６０とフレーム１３ｂの結束力を小さくすることが好ましい。ゆえに、凸部６５を凸部６６よりも多く形成することが好適である。
【００４９】
第１挿嵌部６３は、凸部６５がフレーム１３ａの底板２５ａの上面に接触し、底板２５ａを下金具５０の台座部５３に押し付ける。即ち、底板２５ａは下金具５０の台座部５３と上金具６０の第１挿嵌部６３によって上下から挟持されている。下金具５０の台座部５３と上金具６０の第１挿嵌部６３の間隔は、凸部６５の先端と台座部５３との間において底板２５ａの厚みと同程度であることが好ましい。好適な間隔の一例は、底板２５ａの厚みの０．９５〜１．０５倍である。凸部６５の先端と台座部５３との間隔は底板２５ａの厚みよりも僅かに狭くすることが特に好ましく、特に好適な間隔の一例は、底板２５ａの厚みの０．９５〜１．００倍未満である。
【００５０】
第２挿嵌部６４は、凸部６６がフレーム１３ｂの底板２５ｂの上面に接触し、底板２５ｂをベース部６１に押し付ける。即ち、底板２５ｂはベース部６１と第２挿嵌部６４によって上下から挟持されている。ベース部６１と第２挿嵌部６４の間隔は、凸部６６の先端とベース部６１との間隔が底板２５ｂの厚みと同程度となるように、ベース部６１と第２挿嵌部６４の間隔を設定することが好ましい。好適な間隔の一例は、底板２５ｂの厚みの０．９５〜１．０５倍である。
【００５１】
上金具６０では、第１挿嵌部６３がベース部６１の横方向一方側に設けられ、第２挿嵌部６４が横方向他方側に設けられている。そして、ベース部６１と第１挿嵌部６３をつなぐ連結部６８と、ベース部６１と第２挿嵌部６４をつなぐ連結部６９とが、横方向に並んで配置されている。つまり、互いに反対方向に延びる第１挿嵌部６３と第２挿嵌部６４は、各々の付け根部分が横方向に重なって設けられている。上記のように、フレーム１３ａ，１３ｂは連結部６８，６９と略接触するので、連結部６８，６９を横方向に重ねて形成することにより、太陽電池モジュール１１ａ，１１ｂの隙間は、例えば連結部６８，６９の厚み（上金具６０の厚み）程度にまで小さくなる。第１挿嵌部６３と第２挿嵌部６４を軒棟方向に離して設けてもよいが、その場合は各挿嵌部の軒棟方向に沿った距離に相当する隙間がモジュール間に形成されることになる。
【００５２】
上金具６０は、ベース部６１に対して略垂直に延びる立壁部６７を有する。立壁部６７は、フレーム１３ｂの内鍔２６ｂの先端に面する位置であって、上金具６０上にフレーム１３ｂを配置する際に支障がない位置に設けられる。太陽電池モジュール１１に上下方向に持ち上げる力が作用した場合に、フレーム１３ｂが棟側に移動しようとする場合があるが、立壁部６７は、フレーム１３ｂの棟側への移動を防止する。
【００５３】
なお、上金具６０の形状は、図９及び図１０に示すものに限定されない。例えば、上金具６０の横方向中央部に第２挿嵌部６４を形成し、第２挿嵌部６４の横方向両側に第１挿嵌部６３を２つ形成してもよい。或いは、上金具６０の横方向中央部に第１挿嵌部６３を形成し、第１挿嵌部６３の横方向両側に第２挿嵌部６４を２つ形成してもよい（後述の図２１参照）。また、上金具６０は立壁部６７を有さない形状としてもよい。
【００５４】
図１１〜図１３に、上記構成を備えた太陽光発電装置１０の施工手順の一例を示す。
太陽光発電装置１０の施工方法の一例は、下記の工程を備える。ベースプレート３０の施工手順は上述の通りである。
（１）ベース金具３２（固定対象物）に下金具５０を取り付ける工程。
（２）下金具５０上に太陽電池モジュール１１ａを配置して、下金具５０により当該モジュールの内鍔２６ａを押える工程。
（３）下金具５０上に上金具６０を配置して上金具６０の第１挿嵌部６３を太陽電池モジュール１１ａの外溝２４ａに挿し込み、ベース金具３２に下金具５０及び上金具６０を固定する工程。
（４）上金具６０上に太陽電池モジュール１１ｂを配置して、上金具６０の第２挿嵌部６４を当該モジュールの外溝２４ｂに挿し込む工程。
【００５５】
図１１に示すように、工程（１）では、下金具５０の脚部５６をベース金具３２の貫通孔３６に挿し込み、ガイドレール３９に取り付けたボルト４５の軸部を下金具５０のボルト孔５２に通す。ボルト４５は、軸部が開口部３７から突き出して台座部３３の天板部３５上に起立し、頭部は開口部３７の縁部に引っ掛かってガイドレール３９内に保持されている。
【００５６】
続いて、図１２に示すように、太陽電池モジュール１１ａのフレーム１３ａを下金具５０の台座部５３上に配置する。その後、下金具５０の把手部５７を棟側に引っ張って、押え部５４がフレーム１３ａの内鍔２６ａを押さえる位置まで、即ち台座部５３と押え部５４の間に内鍔２６ａが挿し込まれる位置まで下金具５０を移動させる（工程（２））。これにより、内鍔２６ａが下金具５０に挟持され、下金具５０がフレーム１３ａにしっかりと固定される。このとき、太陽電池モジュール１１ａの軒側のフレーム１３（図示せず）は、ベース金具３２より軒側に既に設置されている上金具６０（図示せず）に固定される。
【００５７】
続いて、図１３に示すように、下金具５０のベース部５１上に上金具６０を配置し、第１挿嵌部６３を太陽電池モジュール１１ａの外溝２４ａに挿し込む。これにより、上金具６０がフレーム１３ａに固定される。このとき、上金具６０のボルト孔６２にはボルト４５の軸部が通されている。ボルト孔６２から上方に突き出たボルト４５の軸部にナット４６を取り付け、下金具５０及び上金具６０をベース金具３２に固定する（工程（３））。
【００５８】
次に、太陽電池モジュール１１ｂのフレーム１３ｂを上金具６０上に配置し、第２挿嵌部６４を外溝２４ｂに挿し込む（工程（４））。これにより、上金具６０にフレーム１３ｂが固定される。このとき、太陽電池モジュール１１ｂの棟側のフレーム１３（図示せず）は、ベース金具３２より棟側に設置されている下金具５０に固定される。上金具６０とフレーム１３ｂの結束力は、例えば太陽電池モジュール１１ｂが横方向にスライド可能な程度に設定される。このため、第２挿嵌部６４を外溝２４ｂに挿し込んだ後に、太陽電池モジュール１１ａを横方向にスライドさせて横方向の位置調整をすることが可能である。
【００５９】
上記構成を備えた太陽光発電装置１０は、上記の簡便な工程（１）〜（４）を経て容易に構築可能であり、施工性に優れている。また、太陽光発電装置１０によれば、太陽電池モジュール１１ａ，１１ｂの隙間を上金具６０の厚み（連結部６８，６９の厚み）程度にまで小さくすることが可能であり、省スペース化を図ることができる。例えば、限られた設置スペースにより多くの太陽電池モジュール１１が設置可能となる。
【００６０】
上記実施形態は、本開示の目的を損なわない範囲で適宜設計変更できる。
図１４及び図１５に、実施形態の他の一例であるベース金具７０を示す。また、図１６〜図２５に、ベース金具の代わりに架台フレーム９０を用いて太陽電池モジュール１１を屋根１００に設置する太陽光発電装置８０及び当該装置に適用される金具等を示す。
【００６１】
図１４及び図１５に例示するベース金具７０は、下金具５０の脚部５６が挿し込まれる被挿入部（挿し込み部）として保持溝７３を有する点で、上述のベース金具３２と異なる。その他の構成については、ベース金具３２と同じである。保持溝７３は、ガイドレール３９と同様に、天板部３５の横方向に沿って形成された開口部７１と、開口部７１に沿って開口部７１の下に設けられた底板７２とで構成される。保持溝７３は長手方向両側（台座部３３の横方向両側）が開口しているため、当該開口部から保持溝７３内に脚部５６を挿入できる。ゆえに、開口部７１は脚部５６の付け根部分が通る程度の幅で形成されてもよい。底板７２は、開口部７１との間に脚部５６を挿入可能な間隔を設け、天板部３５と軒側の立壁部３４とを接続して断面略Ｌ字状に形成される。保持溝７３に脚部５６が挿し込まれた下金具５０は、保持溝７３が延びる横方向に沿ってスライド可能である。即ち、ベース金具７０を用いることにより、ベース金具３２を用いた場合と比べて下金具５０及び上金具６０の取り付け可能範囲が広くなる。
【００６２】
図１６は、実施形態の他の一例である太陽光発電装置８０を示す断面図である。
図１６に示すように、太陽光発電装置８０は、下金具１１０と、下金具１１０上に配置される上金具１２０とを備え、各金具が軒棟方向に隣接配置される太陽電池モジュール１１ａ，１１ｂに跨って取り付けられる点で上記実施形態と共通する。一方、太陽光発電装置８０は、屋根１００上に配置された長尺状の架台フレーム９０に下金具１１０及び上金具１２０が固定されている点で上記実施形態と異なる。
【００６３】
太陽光発電装置８０は、架台フレーム９０に下金具１１０及び上金具１２０を固定するためのボルト４５を備える。下金具１１０のベース部１１１及び上金具１２０のベース部１２１には、ボルト４５が挿通されるボルト孔１１２，１２２がそれぞれ形成されている。ボルト孔１１２，１２２は、各金具の棟側部分であって、フレーム１３ｂの内鍔２６ｂを支持する位置よりも棟側に形成される。下金具１１０は、架台フレーム９０との結束力を高めるために、架台フレーム９０に形成された貫通孔９４に挿し込まれ、架台フレーム９０に引っ掛けられる脚部１１６を有することが好適である。
【００６４】
下金具１１０上には太陽電池モジュール１１ａのフレーム１３ａが載せられ、上金具１２０上には太陽電池モジュール１１ｂのフレーム１３ｂが載せられる。下金具１１０は、フレーム１３ａの内鍔２６ａを押える押え部１１４を有し、太陽電池モジュール１１ａの棟側端部を架台フレーム９０に固定する。上金具１２０は、下金具１１０のベース部１１１上に配置され、フレーム１３ａ，１３ｂの両方に取り付けられて太陽電池モジュール１１ａの棟側端部及び太陽電池モジュール１１ｂの軒側端部を架台フレーム９０に固定する。上金具１２０は、フレーム１３ａの外溝２４ａに挿し込まれる第１挿嵌部１２３、及びフレーム１３ｂの外溝２４ｂに挿し込まれる第２挿嵌部１２４を有する。
【００６５】
図１７及び図１８は、下金具１１０が載せられた架台フレーム９０を示す図である。
架台フレーム９０は、その長手方向が屋根１００の軒棟方向に沿うように屋根１００上に配置される。架台フレーム９０は、軒棟方向に複数の太陽電池モジュール１１を配置可能な長さを有する。１枚の太陽電池モジュール１１は、例えば屋根１００の桁方向に適当な間隔をあけて互いに略平行に配置された２本の架台フレーム９０上に載せられる。
【００６６】
架台フレーム９０は、例えばアンカーを用いて屋根１００の野地板１０１に固定される。アンカーは、野地板１０１に固定される板状の固定部（図示せず）と、固定部に対して略垂直に設けられたアンカーボルト９６とを有する。アンカーボルト９６は、例えば屋根材１０２に形成された貫通孔から屋根材１０２の表側に突き出している。架台フレーム９０は、ナット９７，９８を用いてアンカーボルト９６に固定することができる。
【００６７】
架台フレーム９０は、上壁部９１、下壁部９２、及び側壁部９３を有する断面略コの字状の部材である。上壁部９１及び下壁部９２は、長手方向、幅方向共に略同一の長さを有し、互いに略平行に配置されている。側壁部９３は、上壁部９１と下壁部９２とをつなぐ部分であって、上壁部９１及び下壁部９２に対して略垂直に配置されている。なお、長尺状の架台フレームの形状、配置等は、特に限定されず、例えば架台フレーム９０の開口部分が下を向くように当該フレームを配置してもよい。
【００６８】
上壁部９１は、太陽電池モジュール１１が載せられる部分であって、下金具１１０及び上金具１２０が取り付けられる部分である。上壁部９１には、下金具１１０の脚部１１６が挿し込まれる貫通孔９４、及びボルト４５が挿通されるボルト孔９５が形成されている。貫通孔９４及びボルト孔９５は、例えば架台フレーム９０の長手方向に並んで幅方向中央部に形成される。下壁部９２には、アンカーボルト９６を挿通可能な貫通孔（図示せず）が形成されている。アンカーボルト９６に取り付けたナット９７の上に下壁部９２を載せ、下壁部９２の上からナット９８を当該ボルトに取り付けることで、アンカーボルト９６に架台フレーム９０が固定される。
【００６９】
図１９及び図２０は、下金具１１０を示す図である。
下金具１１０は、平坦な板状に形成されたベース部１１１と、フレーム１３ａが載せられる台座部１１３とを有する。台座部１１３は、ベース部１１１よりも高く形成されており、その上面の高さがベース部１１１上に配置される上金具１２０のベース部１２１の上面の高さと略同一となるように形成されることが好適である。これにより、台座部１１３の上に載せられるフレーム１３ａの上面と、上金具１２０上に載せられるフレーム１３ｂの上面の高さが略同一となる（図１６参照）。
【００７０】
ボルト孔１１２は、軒棟方向に長く延びた長孔であって、内鍔２６ｂと重ならない位置に形成される。ボルト孔１１２を長孔とすることで、架台フレーム９０のボルト４５の締結位置に対する下金具１１０の配置の自由度を高めることができ、ボルト４５の軸部をボルト孔１１２に挿し込んだ状態で下金具１１０を棟側に移動させることが可能となる。下金具１１０は、棟側端部を上方に曲げて形成された把手部１１７を有することが好適である。太陽光発電装置８０の施工時において台座部１１３と押え部１１４との間にフレーム１３ａの内鍔２６ａを挿し込むときには下金具１１０を棟側に移動させるが、このとき把手部１１７が使用される。
【００７１】
押え部１１４は、台座部１１３との間に内鍔２６ａを挿し込み可能な隙間をあけて台座部１１３上に設けられる。押え部１１４は、下金具１１０の軒側端部を略Ｕ字状に折り返して、台座部１１３と略平行な板状に形成される。押え部１１４には、内鍔２６ａの上面に接触する凸部１１５が形成されていることが好適である。凸部１１５の先端と台座部１１３との間隔が内鍔２６ａの厚みと同程度となるように、台座部１１３と押え部１１４との間隔が設定されることが好ましい。好適な間隔の一例は、内鍔２６ａの厚みの０．９５〜１．０５倍、又は０．９５〜１．００倍である。
【００７２】
脚部１１６は、押え部１１４と同様に、下金具１１０の軒側端部を略Ｕ字状に折り返して、台座部１１３と略平行な板状に形成される。但し、脚部１１６は押え部１１４と反対側、即ち台座部１１３の下側に折り返される。脚部１１６の先端部分は、ベース部１１１の下面よりも下側に位置し、例えば上壁部９１の裏側（下面）に略接触する。或いは、脚部１１６の上面と上壁部９１の下面との間に小さな隙間が存在し、太陽電池モジュール１１に負圧が作用したときに脚部１１６が上壁部９１に接触してもよい。
【００７３】
本実施形態では、下金具１１０の横方向両側に２つの押え部１１４が設けられており、各押え部１１４の間に１つの脚部１１６が設けられている。各押え部１１４の横方向長さは互いに異なっているが、同じ寸法としてもよい。凸部１１５は各押え部１１４に１つずつ形成されている。また、把手部１１７は、ナット４６との干渉を防止するために、下金具１１０の横方向両側に分かれて形成されている。各把手部１１７の横方向長さは互いに異なっているが、同じ寸法としてもよい。
【００７４】
図２１及び図２２は、上金具１２０を示す図である。
上金具１２０は、平坦な板状に形成されたベース部１２１と、フレーム１３ａ，１３ｂの外溝２４ａ，２４ｂにそれぞれ挿し込まれる２つの挿嵌部（第１挿嵌部１２３、第２挿嵌部１２４）とを有する。図２１に示す例では、略真円形状のボルト孔１２２がベース部１２１に形成されている。ボルト孔１２２は、内鍔２６ｂと重ならない位置であって下金具１１０のボルト孔１１２に対応する位置に形成される。
【００７５】
第１挿嵌部１２３は、ベース部１２１の軒側端部から軒側に延出し、ベース部１２１と略平行な板状に形成される。第１挿嵌部１２３の軒棟方向長さは、好ましくは奥行深さＤ２４以下であり、より好ましくは奥行深さＤ２４以下且つ奥行深さＤ２４の５０％以上である。第１挿嵌部１２３の下面には、フレーム１３ａの底板２５ａに接触する凸部１２５が形成されていることが好適である。底板２５ａは、第１挿嵌部１２３と下金具１１０の台座部１１３との間に配置される（図１６参照）。第１挿嵌部１２３は、凸部１２５の先端と下金具１１０の台座部１１３との間隔が底板２５ａの厚みと同程度となるように設けられることが好ましい。当該間隔の好適な一例は、底板２５ａの厚みの０．９５〜１．０５倍、又は０．９５〜１．００倍である。
【００７６】
第２挿嵌部１２４は、ベース部１２１の軒側端部から第１挿嵌部１２３と反対側、即ち棟側に延び、ベース部１２１上においてベース部１２１と略平行な板状に形成される。第２挿嵌部１２４は、ベース部１２１との間にフレーム１３ｂの底板２５ｂを挿し込み可能な隙間が形成されるように、上金具１２０の軒側端部を折り返して形成される。第２挿嵌部１２４の軒棟方向長さは、第１挿嵌部１２３と同様に、好ましくは奥行深さＤ２４以下であり、より好ましくは奥行深さＤ２４以下且つ奥行深さＤ２４の５０％以上である。第２挿嵌部１２４は、凸部１２６の先端とベース部１２１との間隔が底板２５ｂの厚みと同程度となるように設けられることが好ましい。当該間隔の好適な一例は、底板２５ｂの厚みの０．９５〜１．０５倍、又は０．９５〜１．００倍である。
【００７７】
本実施形態では、上金具１２０の横方向両側に２つの第２挿嵌部１２４が設けられており、各第２挿嵌部１２４の間に１つの第１挿嵌部１２３が設けられている。第２挿嵌部１２４の横方向長さは互いに異なっているが、同じ寸法としてもよい。凸部１２６は各第２挿嵌部１２４に１つずつ形成されている。また、ベース部１２１と第１挿嵌部１２３をつなぐ連結部１２８と、ベース部１２１と第２挿嵌部１２４をつなぐ連結部１２９とは、上金具６０のように横方向に並んで配置されておらず、連結部１２８は連結部１２９よりも上金具１２０の軒側に位置している。
【００７８】
上金具１２０は、ベース部１２１に対して略垂直に延びる立壁部１２７を有する。立壁部１２７は、太陽電池モジュール１１ｂの棟側への移動を防止する。立壁部１２７は、フレーム１３ｂの内鍔２６ｂの先端に面する位置であって、上金具１２０上にフレーム１３ｂを配置する際に支障がない位置に設けられる（図１６参照）。
【００７９】
図２３は、太陽光発電装置８０の軒側端部及びその近傍を示す断面図である。
太陽光発電装置８０は、架台フレーム９０の軒側端部に取り付けられるカバー１６０を備えることが好適である。カバー１６０は、軒側端部用下金具１４０を用いて架台フレーム９０に取り付けられている。カバー１６０は、太陽電池モジュール１１のフレーム１３に沿って設けられてもよく、架台フレーム９０の軒側端部のみに設けられてもよい。いずれの場合も、軒側端部用下金具１４０を用いて架台フレーム９０にカバー１６０が取り付けられる。
【００８０】
カバー１６０は、例えばカバー本体１６１と、当該本体から延出したパネル部１６２とを有する。図２３に示す例では、カバー本体１６１が上壁部９１上において太陽電池モジュール１１の軒側端部に近接配置され、パネル部１６２が架台フレーム９０の軒側端部の開口部分を覆って配置されている。即ち、パネル部１６２は架台フレーム９０の当該開口部分を隠蔽している。軒側端部用下金具１４０の上に配置される軒側端部用上金具１５０は、例えば第１挿嵌部１２３を有さない点を除いて上金具１２０と同様の構造を有する。
【００８１】
カバー１６０は、軒側端部用下金具１４０との固定に利用される溝部１６３，１６４を有する。カバー本体１６１は、例えば中空の略角柱形状を有する部分（角柱形状部）と、角柱形状部の下面に立設して断面略Ｌ字状に形成された鉤部とを有する。図２３に示す例では、角柱形状部の下面と鉤部との間に溝部１６３が形成され、角柱形状部の下面のパネル部１６２に近接する部分が上方に凹んで溝部１６４が形成されている。軒側端部用下金具１４０は、押え部１１４の代わりに、カバー１６０の溝部１６３，１６４にそれぞれ挿し込まれる挿嵌部１４４，１４５を有する。
【００８２】
太陽光発電装置８０は、カバー１６０と架台フレーム９０との結束力を高めるために振れ止め金具１７０を備えることが好適である。振れ止め金具１７０は、下部が折り曲げられた板状の金具であって、ビス１７１を用いてカバー本体１６１に固定され、カバー本体１６１と太陽電池モジュール１１との間において架台フレーム９０の上壁部９１に対して略垂直に取り付けられる。振れ止め金具１７０の下部は、軒側端部用下金具１４０に形成された貫通孔１４８に挿し込まれている。
【００８３】
図２４及び図２５は、軒側端部用下金具１４０を示す図である。
軒側端部用下金具１４０は、下金具１１０と同様に、ボルト孔１４２が形成された平坦な板状のベース部１４１と、ベース部１４１よりも高く形成された台座部１４３とを有する。ベース部１４１の棟側端部には把手部１４７が形成されている。なお、台座部１４３にはカバー本体１６１が載せられる。図２４に示す例では、軒側端部用下金具１４０の横方向両側に２つの脚部１４６が設けられており、各脚部１４６の間に２つの挿嵌部１４４と１つの挿嵌部１４５が設けられている。
【００８４】
挿嵌部１４４は、上記の通りカバー１６０の溝部１６３に挿し込まれる部分であって、金具の軒側端部を脚部１４６と反対側に折り返して形成されている。挿嵌部１４５は、カバー１６０の溝部１６４に挿し込まれる部分であって、金具の軒側端部を上方に曲げて形成されている。また、軒側端部用下金具１４０には、振れ止め金具１７０が挿入される貫通孔１４８が形成されている。
【００８５】
図２６及び図２７は、架台フレーム９０及び下金具１１０の変形例を示す図である。図２６及び図２７に例示する形態はいずれも、施工性の向上、施工ミスの防止に寄与する。
【００８６】
図２６に例示する架台フレーム９０ｘでは、ボルト４５が挿通されるボルト孔９５ｘ（フレーム側ボルト孔）が、上壁部９１ｘにおいてフレームの幅方向一端側（側壁部９３側、側壁部９３と反対側のいずれであってもよい）に大きく偏って形成されている。ボルト孔９５ｘは、架台フレーム９０ｘの幅方向中央を通る仮想線Ｘ上に形成されず、仮想線Ｘとフレームの幅方向一端との中間位置付近に形成されている。図２６に示す例では、仮想線Ｘに対して左右対称に貫通孔９４が形成されているが、貫通孔９４はボルト孔９５ｘと同様に架台フレーム９０ｘの幅方向片側に大きく偏って形成されていてもよい。
【００８７】
図２６に例示する下金具１１０ｘのベース部１１１ｘには、当該金具の横方向一端側に大きく偏ってボルト孔１１２ｘが形成されている。ボルト孔１１２ｘは、下金具１１０ｘの幅方向中央を通る仮想線Ｙ上に形成されず、架台フレーム９０ｘのボルト孔９５ｘと同様に、仮想線Ｙと当該金具の横方向一端との中間位置付近に形成されている。各ボルト孔９５ｘ，１１２ｘをこのように偏在させることにより、図２６に例示する形態では、架台フレーム９０ｘ上において下金具１１０ｘを逆向きに取り付けることができない。これにより、下金具１１０ｘが逆向きに取り付けられる施工ミスを防止できる。また、かかる形態によれば下金具１１０ｘの正しい向きが簡単に確認できるため施工性が向上する。
【００８８】
図２７に例示する架台フレーム９０ｙの上面（上壁部９１ｙの上面）には、当該フレームの長手方向に沿って略直線状に延びるフレーム側刻印９９が幅方向一端側（側壁部９３側、側壁部９３と反対側のいずれであってもよい）に大きく偏って形成されている。フレーム側刻印９９は、仮想線Ｘとフレームの幅方向一端との中間位置付近に形成されている。フレーム側刻印９９は、架台フレーム９０ｙの全長に亘って形成されてもよく、下金具１１０ｙの設置位置近傍のみに形成されてもよい。
【００８９】
図２７に例示する下金具１１０ｙの上面には、当該金具の縦方向に沿って略直線状に延びる刻印１１８が横方向一端側に大きく偏って形成されている。刻印１１８は、架台フレーム９０ｙのフレーム側刻印９９と同様に、ベース部１１１ｙにおいて仮想線Ｙと当該金具の横方向一端との中間位置付近に形成されている。図２７に例示する形態では、刻印１１８がフレーム側刻印９９上に重なった状態で、下金具１１０ｙが架台フレーム９０ｙ上に配置される。換言すると、各刻印が一致した状態でのみ、架台フレーム９０ｙ上に下金具１１０ｙが設置可能となるように各刻印が形成される。これにより、下金具１１０ｙが逆向きに取り付けられる施工ミスを防止でき、また施工性が向上する。なお、各刻印の代わりにライン表示を描いてもよい。
【符号の説明】
【００９０】
１０，８０  太陽光発電装置、１１，１１ａ，１１ｂ  太陽電池モジュール、１２，１２ａ，１２ｂ  太陽電池パネル、１３，１３ａ，１３ｂ  フレーム、２０  本体部、２１，２３  鉤部、２２，２２ａ，２２ｂ  内溝、２４，２４ａ，２４ｂ  外溝、２５，２５ａ，２５ｂ  底板、２６，２６ａ，２６ｂ  内鍔、３０，３０ａ，３０ｂ，３０ｃ  ベースプレート、３１  保持部、３２  ベース金具、３３  台座部、３４  立壁部、３５  天板部、３６，９４，１４８  貫通孔、３７  開口部、３８  底板、３９  ガイドレール、４０，４１  脚部、４２，４３  ネジ孔、４４  爪部、４５  ボルト、４６，９７，９８  ナット、４７  木ネジ、５０，１１０，１１０ｘ，１１０ｙ  下金具、５１，１１１，１１１ｘ，１１１ｙ，１４１  ベース部、５２，６２，９５，９５ｘ，１１２，１１２ｘ，１２２，１４２，１５２  ボルト孔、５３，１１３，１４３  台座部、５４，１１４  押え部、５５，６５，６６，１１５，１２５，１２６  凸部、５６，１１６，１４６  脚部、５７，１１７，１４７  把手部、６０，１２０  上金具、６１，１２１，１５１  ベース部、６３，１２３  第１挿嵌部、６４，１２４，１５４  第２挿嵌部、６７，１２７，１５７  立壁部、６８，６９，１２８，１２９  連結部、７０  ベース金具、７１  開口部、７２  底板、７３  保持溝、９０，９０ｘ，９０ｙ  架台フレーム、９１，９１ｘ，９１ｙ  上壁部、９２  下壁部、９３  側壁部、９６  アンカーボルト、９９  フレーム側刻印、１００  屋根、１０１  野地板、１０２  屋根材、１１８  刻印、１４０  軒側端部用下金具、１４４，１４５  挿嵌部、１５０  軒側端部用上金具、１６０  カバー、１６１  カバー本体、１６２  パネル部、１６３，１６４  溝部、１７０  振れ止め金具、１７１  ビス、Ｘ，Ｙ  仮想線
【図１】
0006458966.tif 000002
【図２】
0006458966.tif 000003
【図３】
0006458966.tif 000004
【図４】
0006458966.tif 000005
【図５】
0006458966.tif 000006
【図６】
0006458966.tif 000007
【図７】
0006458966.tif 000008
【図８】
0006458966.tif 000009
【図９】
0006458966.tif 000010
【図１０】
0006458966.tif 000011
【図１１】
0006458966.tif 000012
【図１２】
0006458966.tif 000013
【図１３】
0006458966.tif 000014
【図１４】
0006458966.tif 000015
【図１５】
0006458966.tif 000016
【図１６】
0006458966.tif 000017
【図１７】
0006458966.tif 000018
【図１８】
0006458966.tif 000019
【図１９】
0006458966.tif 000020
【図２０】
0006458966.tif 000021
【図２１】
0006458966.tif 000022
【図２２】
0006458966.tif 000023
【図２３】
0006458966.tif 000024
【図２４】
0006458966.tif 000025
【図２５】
0006458966.tif 000026
【図２６】
0006458966.tif 000027
【図２７】
0006458966.tif 000028